(57)【特許請求の範囲】
【請求項１】
接点を開閉するスイッチブロックと、スイッチブロックを操作する操作ブロックとから成り、スイッチブロックは、スイッチ用ケースに収納されて接点を開閉する接点機構と、スイッチ用ケースの内外に貫通して押動自在に装着されて押し込まれている間だけ接点機構の接点を閉成する切替部とを備え、操作ブロックは、操作用ケースの内外に貫通して押動自在に装着される操作体と、操作用ケースに収納されて操作体が押し込まれている状態で操作体を保持するロック機構とを備え、ロック機構は、押し込み操作をする毎に、操作体が押し込まれていない状態の基準位置と、操作体がロック機構に保持されるロック位置とで操作体の位置を切替えるプッシュスイッチであって、スイッチブロック及び操作ブロックが操作体の操作方向と直交する方向において並べて配設され、操作体と連動して切替部を押動自在に押し込む副操作体が設けられ、操作体は、押し込み操作をされる毎に、ロック位置よりも更に押し込まれて副操作体が切替部を押し込む状態の操作位置を介して基準位置とロック位置とでその位置が切り替えられるものであって、操作体が基準位置から操作位置に押し込まれた場合に、操作体と共に操作位置からロック位置に副操作体が移動するのを妨げる逃がし手段を設けたことを特徴とするプッシュスイッチ。
【請求項２】
前記逃がし手段は、副操作体と操作体との間に取り付けられて操作体が操作位置から基準位置に向かう方向に付勢されたコイルばねから成ることを特徴とする請求項１記載のプッシュスイッチ。
【請求項３】
前記逃がし手段は、副操作体と操作体との間に取り付けられて操作体が操作位置から基準位置に向かう方向に付勢された板ばねから成ることを特徴とする請求項１記載のプッシュスイッチ。
【請求項４】
前記スイッチブロックは、スイッチ用ケースの長手方向が操作体の操作方向と直交する方向と並行となるように配設されたことを特徴とする請求項１記載のプッシュスイッチ。
【請求項５】
前記操作ブロック及びスイッチブロックは、１つの筐体に収納されたことを特徴とする請求項１乃至４の何れか１項に記載のプッシュスイッチ。
【発明の詳細な説明】
【技術分野】
【０００１】
本発明は、操作体を押し込み操作して接点を開閉させるプッシュスイッチに関する。
【背景技術】
【０００２】
従来、テレビ等の表示機器の電源スイッチとして、操作体を押し込み操作することで接点を開閉させるプッシュスイッチが知られており、例えば特許文献１に開示されているようなものがある。この種のプッシュスイッチは、図６に示すように、接点（図示せず）を開閉するスイッチブロックＥと、スイッチブロックＥを操作する操作ブロックＦとから成り、操作ブロックＦは、凹部を有したカム本体及びそのカム本体の周囲に段差を有した外周部を設けて略ハート形に形成されたハート形カムＡと、略コ字型に形成されて一端を回動軸にして他端がハート形カムＡの外周部に沿って摺動するロックピンＢと、一端がロックピンＢの側部を押圧するコイルスプリングＣとを備えたオルタネイト機構を有している。そして、コイルスプリングＣを設けた操作体Ｄは、押し込み操作によってスイッチブロックＦに設けられた接点を閉成させると共に、オルタネイト機構を動作させてロックピンＢの他端がハート形カムＡの凹部に係止してロックされ、接点が閉成された状態が維持される。操作体Ｄを再度押し込み操作すれば、ロックが解除されて接点が開成される。
【特許文献１】特開２０００−４８６７５号公報
【発明の開示】
【発明が解決しようとする課題】
【０００３】
しかしながら、上記従来例では、スイッチブロックＥと操作ブロックＦが操作体Ｄの操作方向に沿って直列に配設されているため、操作方向におけるプッシュスイッチの高さが高くなってしまい、薄型の電気機器の電源スイッチに適用できないという問題があった。
【０００４】
本発明は、上記の点に鑑みて為されたもので、スイッチの操作方向における高さを低くすることのできるプッシュスイッチを提供することを目的とする。
【課題を解決するための手段】
【０００５】
請求項１の発明は、上記目的を達成するために、接点を開閉するスイッチブロックと、スイッチブロックを操作する操作ブロックとから成り、スイッチブロックは、スイッチ用ケースに収納されて接点を開閉する接点機構と、スイッチ用ケースの内外に貫通して押動自在に装着されて押し込まれている間だけ接点機構の接点を閉成する切替部とを備え、操作ブロックは、操作用ケースの内外に貫通して押動自在に装着される操作体と、操作用ケースに収納されて操作体が押し込まれている状態で操作体を保持するロック機構とを備え、ロック機構は、押し込み操作をする毎に、操作体が押し込まれていない状態の基準位置と、操作体がロック機構に保持されるロック位置とで操作体の位置を切替えるプッシュスイッチであって、スイッチブロック及び操作ブロックが操作体の操作方向と直交する方向において並べて配設され、操作体と連動して切替部を押動自在に押し込む副操作体が設けられ、操作体は、押し込み操作をされる毎に、ロック位置よりも更に押し込まれて副操作体が切替部を押し込む状態の操作位置を介して基準位置とロック位置とでその位置が切り替えられるものであって、操作体が基準位置から操作位置に押し込まれた場合に、操作体と共に操作位置からロック位置に副操作体が移動するのを妨げる逃がし手段を設けたことを特徴とする。
【０００６】
請求項２の発明は、請求項１の発明において、逃がし手段は、副操作体と操作体との間に取り付けられて操作体が操作位置から基準位置に向かう方向に付勢されたコイルばねから成ることを特徴とする。
【０００７】
請求項３の発明は、請求項１の発明において、逃がし手段は、副操作体と操作体との間に取り付けられて操作体が操作位置から基準位置に向かう方向に付勢された板ばねから成ることを特徴とする。
【０００８】
請求項４の発明は、請求項１の発明において、スイッチブロックは、スイッチ用ケースの長手方向が操作体の操作方向と直交する方向と並行となるように配設されたことを特徴とする。
【０００９】
請求項５の発明は、請求項１乃至４の何れか１項の発明において、操作ブロック及びスイッチブロックは、１つの筐体に収納されたことを特徴とする。
【発明の効果】
【００１０】
請求項１の発明によれば、接点を開閉するスイッチブロックと、スイッチブロックを操作する操作ブロックとから成り、スイッチブロックは、スイッチ用ケースに収納されて接点を開閉する接点機構と、スイッチ用ケースの内外に貫通して押動自在に装着されて押し込まれている間だけ接点機構の接点を閉成する切替部とを備え、操作ブロックは、操作用ケースの内外に貫通して押動自在に装着される操作体と、操作用ケースに収納されて操作体が押し込まれている状態で操作体を保持するロック機構とを備え、ロック機構は、押し込み操作をする毎に、操作体が押し込まれていない状態の基準位置と、操作体がロック機構に保持されるロック位置とで操作体の位置を切替えるプッシュスイッチであって、スイッチブロック及び操作ブロックが操作体の操作方向と直交する方向において並べて配設され、操作体と連動して切替部を押動自在に押し込む副操作体が設けられたので、スイッチブロックと操作ブロックを操作体の操作方向に直列に配設した場合と比べて、操作方向におけるプッシュスイッチの高さを低くすることができる。また、操作体は、押し込み操作される毎に、ロック位置よりも更に押し込まれて副操作体が切替部を押し込む状態の操作位置を介して基準位置とロック位置とでその位置が切り替えられるものであって、操作体が基準位置から操作位置に押し込まれた場合に、操作体と共に操作位置からロック位置に副操作体が移動するのを妨げる逃がし手段を設けたので、操作体が操作位置からロック位置に移動するのに伴って副操作体も操作位置からロック位置に移動することがないので、切替部が中途半端な位置で押し込まれるのを防ぐことができ、したがって接点の接触信頼性を向上することができる。
【００１１】
請求項２の発明によれば、逃がし手段は、副操作体と操作体との間に取り付けられて操作体が操作位置から基準位置に向かう方向に付勢されたコイルばねから成るので、操作体が操作位置からロック位置に移動する際に、コイルばねの撓み量が減少するだけで副操作体は移動することがないので、切替部が中途半端な位置で押し込まれるのを防ぐことができ、したがって接点の接触信頼性を向上することができる。
【００１２】
請求項３の発明によれば、逃がし手段は、副操作体と操作体との間に取り付けられて操作体が操作位置から基準位置に向かう方向に付勢された板ばねから成るので、操作体が操作位置からロック位置に移動する際に、板ばねの撓み量が減少するだけで副操作体は移動することがないので、切替部が中途半端な位置で押し込まれるのを防ぐことができ、したがって接点の接触信頼性を向上することができる。また、コイルばねと比べて副操作体の操作方向における高さを低くすることができる。
【００１３】
請求項４の発明によれば、スイッチブロックは、スイッチ用ケースの長手方向が操作体の操作方向と直交する方向と並行となるように配設されたので、スイッチ用ケースの短手方向が操作体の操作方向と直交する方向と並行となるように配設された場合と比べて、プッシュスイッチの操作方向における高さを低くすることができる。
【００１４】
請求項５の発明によれば、操作ブロック及びスイッチブロックは、１つの筐体に収納されたので、プッシュスイッチの取り付け作業性を向上することができる。
【発明を実施するための最良の形態】
【００１５】
（実施形態１）
以下、本発明の第１の実施形態について図面を用いて説明する。尚、以下の説明では、図１における上下左右を上下左右方向、手前を後方向、奥を前方向と定める。本実施形態は、図１に示すように、接点を開閉するスイッチブロック１と、スイッチブロック１を操作する操作ブロック２とから成り、スイッチブロック１は、スイッチ用ケース１１に収納されて接点を開閉する接点機構と、スイッチ用ケース１１の内外に貫通して押動自在に装着されて押し込まれている間だけ接点機構の接点を閉成する切替部１０とを備え、操作ブロック２は、操作用ケース２２の内外に貫通して押動自在に装着される操作体２０と、操作用ケース２２に収納されて操作体２０が押し込まれている状態で操作体２０を保持するロック機構とを備えたプッシュスイッチであって、スイッチブロック１及び操作ブロック２が操作体２０の操作方向（以下、上下方向）と直交する方向（以下、左右方向）において並べて配設され、操作体２０と連動して切替部１０を押動自在に押し込む副操作体２１が設けられている。尚、スイッチブロック１の接点機構は周知であるので、ここでは詳細な説明を省略する。
【００１６】
切替部１０は、スイッチ用ケース１１の上面において内部から突出して設けられている。また、スイッチ用ケース１１の下面には、外部の負荷と接続するための端子部１２が内部から突出して設けられている。切替部１０は上方向へと付勢されており、副操作体２１によって内部に押し込まれることで接点を閉成し、副操作体２１による押し込みが解除されると付勢力によって上昇して接点を開成するようになっている。
【００１７】
操作体２０は、ロッド２４と、ロッド２４の一端に取り付けられるメイン釦２３と、ロッド２４の他端に取り付けられるボディ２６とから成る。メイン釦２３は、平板形状の板部２３ａと、該板部２３ａの上面から上方へ突設された略直方体状の釦部２３ｂとから成る。ボディ２６は、後面を開口した略箱体に形成され、操作用ケース２２の内側後面に開口面を対向させる形で操作用ケース２２に上下方向にスライド自在に収納される。その内部には後述するコイルスプリング２５、ハート形カム４及びロックピン５が収納され、これらコイルスプリング２５、ハート形カム４及びロックピン５でロック機構が構成される。
【００１８】
ハート形カム４は、金属又は樹脂で形成され、図２（ａ）に示すように、凹部４１ａを有して略ハート形板状に形成されたカム本体４１と、該カム本体４１の周囲に外周部４２とを有する。外周部４２は、第１領域４２ａ乃至第８領域４２ｈに分割され、図２（ｂ）に示すように、各領域間に段差が設けられており、第３領域４２ｃが最も高く、第１領域４２ａ及び第６領域４２ｆが最も低くなっている。該ハート形カム４は、ボディ２６の下端部の内側に取り付けられる。
【００１９】
ロックピン５は、線状の金属から成り、図２（ｃ）に示すように、一片５１と、該一片５１の両端から突設されて互いに対向した一方の対向片５２、及び他方の対向片５３から成る両対向片５２、５３とで略コ字型に形成される。両対向片５２、５３には、断面略く字型の切り欠き５４、５５が各々形成されている。この一方の対向片５２が操作用ケース２２の背面から前方へ突出して形成されるリブ２７に回動自在に支持されることで、他方の対向片５３はハート形カム４の外周部４２を摺動自在となる。
【００２０】
コイルスプリング２５は、ボディ２６内部において、その上端部をボディ２６内側上面に当接させ、下端部をロックピン５の一方の対向片５２の切り欠き５４に当接させることで上方向へと付勢されている。また、リブ２７がコイルスプリング２５に挿入されることで、コイルスプリング２５を位置決めする。
【００２１】
副操作体２１は、略直方体状に形成されて、左端部における上面及び下面には、メイン釦２３の釦部２３ｂを挿通するための釦挿通孔２１ａと、ロッド２４を挿通するためのロッド挿通孔２１ｂがそれぞれ設けられている。尚、ロッド挿通孔２１ｂは、メイン釦２３の板部２３ａが副操作体２１の下方に突出しない程度の径に形成されている。また、副操作体２１の内側下面と板部２３ａの下面との間には、逃がし手段としてコイルばね３０がロッド２４を覆うように上方向に付勢されて設けられている。
【００２２】
以下、本実施形態の動作について図面を用いて説明する。操作体２０を押し込み操作していない、即ちメイン釦２３を押し込んでいない場合、図１に示すように、コイルスプリング２５の付勢力によってボディ２６が操作用ケース２２から上方に突出しており、副操作体２１が切替部１０から離れた状態で、スイッチブロック１の接点は開成している。また、ロックピン５の他方の対向片５３はハート形カム４の外周部４２の第１領域４２ａに位置している。この操作体２０が押し込まれていない状態を基準位置とする。
【００２３】
次に、メイン釦２３を押し込むと、図３（ａ）に示すように、ボディ２６が下方へとスライドすると共に、コイルばね３０が副操作体２１を押して下方へと移動させ、副操作体２１の下面と切替部１０の上面が接触する。また、ボディ２６が下方へとスライドするのに伴ってコイルスプリング２５が撓み、さらにロックピン５の他方の対向片５３がハート形カム４の外周部２４に沿って上方へと摺動する。この時点では、まだスイッチブロック１の接点は開成されたままである。
【００２４】
この状態から更にメイン釦２３を押し込むと、図３（ｂ）に示すように、副操作体２１が切替部１０を副操作体２１の下面とスイッチ用ケース１１が当接するまで押し込むことで、スイッチブロック１の接点が閉成される。この時、ロックピン５の他方の対向片５３は、ハート形カム４の外周部４２の第２領域４２ｂまで摺動している。この状態からメイン釦２３を更に押し込むことで、図３（ｃ）に示すように、ボディ２６の下面が操作用ケース２２内側の下面に当接し、更にメイン釦２３を押し込むと、メイン釦２３はコイルばね３０を撓ませながら下方へと移動する。また、ロックピン５の他方の対向片５３は、ハート形カム４の外周部の第４領域４２ｄまで摺動する。この操作体２０が最も押し込まれた状態を操作位置とする。
【００２５】
操作体２０が操作位置にある状態で、メイン釦２３の押し込みを解除すると、図３（ｄ）に示すように、コイルスプリング２５の付勢力によって操作体２０が上方へとスライドする。この時、ロックピン５の他方の対向片５３は下方へと摺動し、ハート形カム４の第５領域４２ｅまで移動して凹部４１ａに係止されることで操作体２０を保持する。この操作体２０が保持される状態をロック位置とする。ここで、操作位置からロック位置に操作体２０が移動する際に、コイルばね３０がその下端部の位置を変えずに伸長することで、副操作体２１が上方へと押し上げられる力を逃がすことができるため、副操作体２１が移動せず、切替部１０は副操作体２１に完全に押し込まれている状態に維持され、したがってスイッチブロック１の接点も閉成されたままである。
【００２６】
操作体２０がロック位置にある状態でメイン釦２３を押し込むと、操作体２０が操作位置に移動すると共に、ロックピン５の他方の対向片５３が上方へと摺動し、ハート形カム４の外周部の第６領域４２ｆに移動する。ここで、メイン釦２３の押し込みを解除すると、コイルスプリング２５の付勢力によって操作体２０が上方へとスライドする。この時、ロックピン５の他方の対向片５３は下方へと摺動し、第６領域４２ｆから第１領域４２ａまで移動する。したがって、操作体２０が基準位置まで戻るので、副操作体２１による切替部１０の押し込みも解除されてスイッチブロック１の接点が開成される。
【００２７】
上述のように、スイッチブロック１及び操作ブロック２を左右方向において並べて配設したので、スイッチブロック１及び操作ブロック２を上下方向において直列に配設した場合と比べて上下方向の高さを低くすることができ、したがって薄型の表示機器等の電源スイッチに適用することができる。また、副操作体２１の内側下面と板部２３ａの下面との間に逃がし手段としてコイルばね３０を設けたので、操作体２０が操作位置からロック位置に移動する際に、コイルばね３０によって副操作体２１が上方へと押し上げられる力を逃がすことができるため、副操作体２１が押し込み方向と反対の方向に移動することがなく、切替部１０が中途半端な位置で押し込まれるのを防ぐことができ、したがってスイッチブロック１の接点の接触信頼性を向上することができる。
【００２８】
ところで、図４（ａ）に示すように、逃がし手段としてコイルばね３０の代わりに板ばね３１を用いてもよい。板ばね３１は、略矩形状に形成され、その一端部が副操作体２１の内側下面に固着され、他端部に設けられた挿通孔３１ａ（図４（ｂ）参照）にロッド２４を挿通して、上方向に付勢されて取り付けられる。このように構成することで、コイルばね３０を用いた場合と同様にスイッチブロック１の接触信頼性を向上できる。また、コイルばね３０よりも上下方向の高さを低くすることができるので、副操作体２１を薄型に形成することができる。
【００２９】
（実施形態２）
以下、本発明の第２の実施形態について図面を用いて説明する。本実施形態は、図５（ａ）に示すように、スイッチブロック１のスイッチ用ケース１１を、その長手方向が左右方向と並行するように配設し、さらにスイッチブロック１及び操作ブロック２を略箱体に形成された筐体６に収納している。
【００３０】
スイッチブロック１は、切替部１０及び端子部１２の配置が実施形態１のものとは異なっており、切替部１０はスイッチ用ケース１１の上面左側において内部から突出して設けられており、端子部１２はスイッチ用ケース１１の右面において内部から突出して設けられている。端子部１２はセット端子１２ａ、リセット端子１２ｂ、共通端子１２ｃから成り、切替部１０が副操作体２１によって押し込まれるとセット端子１２ａ及び共通端子１２ｃが接続されて接点が閉成され、切替部１０の押し込みが解除されるとリセット端子ｌ２ｂ及び共通端子１２ｃが接続されて接点が開成されるようになっている。尚、スイッチ用ケース１１内部の接点機構は周知であるので、ここでは詳細な説明を省略する。
【００３１】
筐体６は、図５（ｂ）に示すように、スイッチブロック１及び操作ブロック２の形状に合わせた箱体に形成されており、その上面では操作ブロック２のメイン釦２３の釦部２３ｂが挿通孔（図示せず）を介して外部に突出しており、右側面ではスイッチブロック１の端子部１２が挿通孔を介して外部に突出している。
【００３２】
また、図５（ｃ）に示すように、筐体６を略直方体状に形成してもよい。この場合、上面に筐体６をネジ止めするための複数の取付孔６０（図示では２つ）が設けられ、正面及び背面には、スイッチ用ケース１１の右上端部及び左下端部にそれぞれ設けられた挿通孔１４に対向する位置に、スイッチ用ケース１１をネジ止めによって筐体６に固定するためのスイッチ取付孔６１が設けられている。そして、図５（ｄ）に示すように、メイン釦２３及び取付孔６０に対向する位置に穴７０が設けられたパネル７を筐体６の上面に当接させ、組立ネジ８を挿通してネジ止めすることで、メイン釦２３の釦部２３ｂがパネル７の外部に露出した状態で筐体６が取り付けられる。
【００３３】
上述のように、スイッチブロック１のスイッチ用ケース１１を、その長手方向が左右方向と並行するように配設することで、長手方向を上下方向と並行するように配設した場合と比べて上下方向における高さを更に低くすることができる。また、スイッチブロック１及び操作ブロック２を筐体６に収納することで、パネル７等に取り付ける際に、スイッチブロック１及び操作ブロック２を個別に取り付ける場合と比べて作業性を向上することができる。
【図面の簡単な説明】
【００３４】
【図１】本発明の第１の実施形態のプッシュスイッチを示す背面図である。
【図２】同上のロック機構を示す図で、（ａ）はハート形カムを右側から見た平面図、（ｂ）は外周部における各領域の段差を表す説明図、（ｃ）はロックピンの側面図である。
【図３】同上の動作説明図で、（ａ）は切替部が押し込まれ始める状態を示す図で、（ｂ）は切替部が完全に押し込まれた状態を示す図で、（ｃ）はメイン釦が完全に押し込まれた状態を示す図で、（ｄ）は操作体がロックされた状態を示す図である。
【図４】同上の逃がし手段として板ばねを用いた場合を示す図で、（ａ）は背面図で、（ｂ）は板ばねの上面図である。
【図５】本発明の第２の実施形態のプッシュスイッチを示す図で、（ａ）は内部構成図で、（ｂ）は正面図で、（ｃ）は取付孔の配置図で、（ｄ）はパネルへ取り付けられた場合を示す図である。
【図６】従来のプッシュスイッチを示す正面図である。
【符号の説明】
【００３５】
１  スイッチブロック
１０  切替部
２  操作ブロック
２０  操作体
２１  副操作体
３  逃がし手段
３０  コイルばね
【図１】
0004462217.tif 000002
【図２】
0004462217.tif 000003
【図３】
0004462217.tif 000004
【図４】
0004462217.tif 000005
【図５】
0004462217.tif 000006
【図６】
0004462217.tif 000007